(57)【要約】      （修正有）【課題】血行を良くして、疲労を解消し、全体的な運動性能を高める布状体又は該布状体を用いたウェアを提供する。【解決手段】スパッツ１０は、ポリエステル８０％、ポリウレタン２０％、裏地ポリエステル１００％の生地を用いる。該スパッツ１０の裏側（人体接触面側）全体に、マイナスイオンを放出する粉末状鉱物が薄膜状にプリント加工する。該鉱物としては、長石の粉末を単体で用い、平均粒径が３ミクロン、含有量が約４０％、１５０個／ｃｃ以上のものが用いられ、バインダと合わせて、０．１ｍｍ厚にプリントする。【選択図】図１
0003149749.tif 000002
【実用新案登録請求の範囲】
【請求項１】
マイナスイオンを放出する粉末状鉱物を、バインダと共に、少なくともその一面に塗布したことを特徴とする布状体。
【請求項２】
マイナスイオンを放出する粉末状鉱物を、バインダと共に、人体接触面側に塗布したことを特徴とするウェア。
【請求項３】
マイナスイオンを放出する粉末状鉱物が、長石の粉末であることを特徴とする請求項２記載のウェア。
【請求項４】
マイナスイオンを放出する粉末状鉱物が、石英の粉末であることを特徴とする請求項２記載のウェア。
【請求項５】
マイナスイオンを放出する粉末状鉱物が、長石の粉末と石英の粉末とを混合したものであることを特徴とする請求項２記載のウェア。
【請求項６】
マイナスイオンを放出する粉末状鉱物が、電気石の粉末であることを特徴とする請求項２記載のウェア。
【考案の詳細な説明】
【技術分野】
【０００１】
本考案は、運動能力向上を期することができる布状体又は該布状体を用いたウェアに関する。
【背景技術】
【０００２】
これまで、運動性能を高めるために、運動用ウェアの殆どは、そのカッティングパターン等に工夫を施していたものが提供されている。例えば、後述する特許文献１では、運動に必要な筋肉のサポートの要求に応じて、所定部分に比較的緊締力の強い部分とそれ以外の比較的緊締力の弱い部分がパターン状に設けられており、比較的緊締力の強い部分が、カットボス編手法によって形成される構成が提示されている。
【特許文献１】特開２００１−２１４３０３
【考案の開示】
【考案が解決しようとする課題】
【０００３】
しかし、これらの構成では、特定のスポーツ毎に、特異な筋肉の緊張・弛緩を促すものであり、各スポーツ用にある種の動きには効果的であるが、全体的な運動性能を高めるものではなく、血行を良くし、疲労を解消するようなウェアの開発が望まれていた。
【０００４】
本考案は、以上のような問題に鑑み創案されたもので、血行を良くして、疲労を解消し、全体的な運動性能を高める布状体又は該布状体を用いたウェアを提供せんとするものである。
【課題を解決するための手段】
【０００５】
本考案の構成は、基本的には、マイナスイオンを放出する粉末状鉱物を、バインダと共に、人体接触面側に塗布した構成を特徴としているが、それは、ウェアに限らず、例えば、テーピング用のテープやバンテージ等にも、適用できるため、布状体としても提案する。すなわち、マイナスイオンを放出する粉末状鉱物を、バインダと共に、少なくともその一面に塗布した布状体である。
【０００６】
生体にマイナスイオンを与えると、循環血液中のナトリウムおよびカルシウムのイオン化量が増大され、運動疲労時に発生する乳酸などの物質によって酸性化された生体組織を弱アルカリ性にして生理作用を活発化し、新陳代謝を活発にさせる効果が得られることが、本考案者の知見として得られた。
【０００７】
即ち、硬くなった筋肉により血管が圧迫されると血液の循環が悪化し、乳酸等の疲労物質が蓄積する。乳酸は強い酸性であるため細胞に蓄積すると体液が酸性化し、細胞内での種々の活動が抑制され、結果的に代謝が行われにくくなる。これが筋肉をさらに緊張させ、運動機能の低下を引き起こす。また、筋肉の緊張により血流なども悪化し、運動機能の低下に拍車をかける。
【０００８】
これに対し、本考案者の知見によれば、マイナスイオンは乳酸を中和し、また、活性酸素の発生を抑制する効果を有しているため、これらの疲労物質などを速やかに処理し体内での蓄積を防止する。
【０００９】
従って、上記構成を有する布状体乃至該布状体を用いたウェアを身につければ（但し、人体に接触する面側に上記粉末状鉱物を含む層が塗布されていなければならない）、マイナスイオンが、人体の血行を良くし、疲労を解消して、全体的な運動性能（運動能力）を高めることが可能となる。
【００１０】
マイナスイオンを放出する上記粉末状鉱物は、平均粒径が１〜１０ミクロンであること、マイナスイオンを放出する粉末状鉱物は、その含有量が１〜５０％であること、マイナスイオンを放出する粉末状鉱物は、１００個／ｃｃ以上のマイナスイオンを放出する性質を有することが望ましい。
【００１１】
また、マイナスイオンを放出する粉末状鉱物は長石の粉末、石英の粉末、電気石（トルマリン）の粉末、あるいはこれらの混合物が好適に用いられ、混合する場合には長石：石英＝２：１であることが望ましい。
【考案の効果】
【００１２】
以上のような本考案の構成によれば、上記粉末状鉱物から発せられるマイナスイオンが、人体に細胞の生理作用の活性化や血流促進等に好結果をもたらすため、スポーツ選手が適宜使用することにより運動性能を飛躍的に向上することができるという優れた効果を奏し得る。
【考案を実施するための最良の形態】
【００１３】
本考案において、織布又は不織布或いは樹脂フィルムの人体接触面側の全面または一部に、マイナスイオンを放出する粉末状鉱物を、バインダと共に、印刷及び／又は塗布してなる構成とする。
【００１４】
以下、本考案の実施の形態を、説明する。図１は、オールラウンドに使用できるスパッツ１０である。同スパッツ１０は、ポリエステル８０％、ポリウレタン２０％、裏地ポリエステル１００％の生地を用いている。該スパッツ１０の裏側（人体接触面側）全体に、マイナスイオンを放出する粉末状鉱物が薄膜状にプリント加工されて施されている。該鉱物としては、長石の粉末を単体で用い、平均粒径が３ミクロン、含有量が約４０％、１５０個／ｃｃ以上のものが用いられ、バインダと合わせて、０．１ｍｍ厚にプリントされている。
【００１５】
図２は、ワンピースタイプのスイムウェア１１であり、生地は、図１と同様なものを用いている。同図の斜線部分はその裏面側に、マイナスイオンを放出する粉末状鉱物が薄膜状にプリント加工されて施されている。該鉱物としては、石英の粉末を単体で用い、平均粒径が５ミクロン、含有量が約４２％、１５５個／ｃｃ以上のものが用いられ、バインダと合わせて、０．０８ｍｍ厚にプリントされている。
【００１６】
本考案者は、さらに、同じスイムウェア１１の生地の裏面側に、長石の粉末と、石英の粉末とを、長石：石英＝２：１の割合で混合させ、平均粒径が６ミクロン、混合物の含有量が約４０％、１４０個／ｃｃ以上のものが用いられ、バインダと合わせて、同じく０．１ｍｍ厚にプリントされたものも作成した。
【００１７】
さらに、図３は、陸上用スパッツ１２であり、図１のものと同一の生地を用いてる。同図（ａ）は前側、同図（ｂ）は後側である。これらの図のウェスト周りを除く斜線部分に、マイナスイオンを放出する粉末状鉱物が薄膜状にプリント加工されて施されている。該鉱物としては、電気石（トルマリン）の粉末を用いた。該粉末は、平均粒径が７ミクロン、含有量が約４５％、１８０個／ｃｃ以上のものが用いられ、バインダと合わせて、０．２ｍｍ厚にプリントされている。
【００１８】
図４は、長袖上着ウェア１３であり、同じく図１のものと同一の生地を用いてる。同図（ａ）は前側、同図（ｂ）は後側である。これらの図の斜線部分はその裏面側に、マイナスイオンを放出する粉末状鉱物が薄膜状にプリント加工されて施されている。該鉱物としては、図３と同じものが、同様の平均粒径、含有量、ｃｃ当たりの個数のものが用いられ、バインダと合わせて、図３と同厚にプリントされている。
【００１９】
図５は、前図の半袖上着ウェア１４であり、同じく図１のものと同一の生地を用いてる。同図（ａ）は前側、同図（ｂ）は後側である。これらの図の斜線部分はその裏面側に、マイナスイオンを放出する粉末状鉱物が薄膜状にプリント加工されて施されている。その他の部分についても、前図の長袖上着ウェア１３と同じ仕様にしている。
【００２０】
図６は、図４及び図５のノンスリーブ上着ウェア１５であり、同じく図１のものと同一の生地を用いてる。同図（ａ）は前側、同図（ｂ）は後側である。これらの図の斜線部分はその裏面側に、マイナスイオンを放出する粉末状鉱物が薄膜状にプリント加工されて施されている。その他の部分についても、図４及び図５の長袖上着ウェア１３及び半袖上着ウェア１４と同じ仕様にしている。
【００２１】
次いで、上記本考案の実施形態に係る運動能力を向上する各ウェアのマイナスイオン効果を検証する試験を行ったので、その結果について記す。
【００２２】
試験はモニターとなる被験者の競技種目に応じて、図１のスパッツ１０と図５の半袖上着ウェア１４をプロの競輪選手２００名に被着してもらい、さらに図３の陸上用スパッツ１２と図５の半袖上着ウェア１４をプロ野球選手１００名に被着してもらった。
【００２３】
その結果、競輪選手では、普段被着している競技用のスーツのスパッツに比べ、
１）脚を上げた時の上がり方について、本スパッツ１０を被着している方が、高く上がる。１８８名
２）脚が軽くなる。１９４名
３）ひっかかりがなくなった。１４０名
４）ストレッチがいらないくらい、股関節周りが可動する。５６名
５）脚を上げた時、地面と平行から上が自然と上がってくる感じがする。９８名６）練習用のローラに乗ると、本スパッツ１０を被着している方が、脚の回転が良い。１１３名
７）暖かく感じる。１８６名
８）脚の軸がしっかりするように感じる。３６名
９）張りがなくなった。１８６名
【００２４】
また普段被着している競技用のスーツのウェアに比べ、
１０）本半袖上着ウェア１４を被着した方が、首から背中にかけて、寝違いの痛みがあったのがなくなった。５名
１１）背中の張りがなくなった。１９１名
との回答を得た。
【００２５】
他方、プロ野球選手では、本半袖上着ウェア１４を被着した方が、
１２）肩関節周りが、よくまわる様になった。８０名
１３）肩、肘まわりの張りがすごく楽になった。５９名
１４）疲労が、いつもよりない感じがする。７８名
との回答を得た。
【００２６】
上記結果をもたらした具体的な理由としては、マイナスイオンの持つ以下の特性によるものと考えられる。
【００２７】
第１に細胞の活性化が挙げられる。生命活動電位として細胞の内側にはマイナスイオンが多く、外側にはプラスイオンが多くなっているが、細胞が休止状態から活動状態に移行する際、このプラスイオンとマイナスイオンが入れ替わる。これを脱分極といい、マイナスイオンを放出する上記鉱物が、この脱分極を促進し細胞を活発な状態にさせ、上記種々の運動能力の向上をもたらすものと考えられる。
【００２８】
第２に血液浄化作用が挙げられる。皮膚から吸収されたマイナスイオンは、運動により蓄積した乳酸を中和し、カルシウムバランスを回復させ、血液を弱アルカリ性にする。従って、疲労が解消し、痛みが軽減されることにより、運動能力が向上するものと考えられる。
【００２９】
また試験の結果、本考案に係る効果は、被着後３０秒程度で現れ、裏面側の該層が剥がれ落ちない限り、その効果は持続する。
【００３０】
以上、本考案の実施形態について説明したが、本考案に係る運動能力を向上するマイナスイオンを放出する鉱物の層が被着している布状体は、上記実施例のウェアなどに何ら限定されるものではなく、本考案の趣旨を逸脱しない範囲内で種々の改変が可能である。
【００３１】
例えば、テープに塗布したものを貼り付けて用いることでも良い。
【００３２】
この他、前述の通り実施例に示した粉状鉱物の成分は一例であり、該鉱物は長石、石英、電気石（トルマリン）またはこれらの鉱物により構成される岩石以外
【産業上の利用可能性】
【００３３】
本考案の布状体又は該布状体を用いたウェアは、運動性能を向上させるだけではなく、他に、健康増進、肺活量を必要とする管楽器演奏者などの演奏など、その応用範囲は広い。
【図面の簡単な説明】
【００３４】
【図１】本考案の一実施例に係るスパッツ１０の説明図である。
【図２】本考案の他の実施例に係るスイムウェア１１の説明図である。
【図３】同じく他の実施例に係る陸上用スパッツ１２の説明図である。
【図４】同じく別の実施例に係る長袖上着ウェア１３の説明図である。
【図５】同じく別の実施例に係る半袖上着ウェア１４の説明図である。
【図６】同じくさらに別の実施例に係るノンスリーブ上着ウェア１５の説明図である。
【符号の説明】
【００３５】
１０      スパッツ
１１      スイムウェア
１２      陸上用スパッツ
１３      長袖上着ウェア
１４      半袖上着ウェア
１５      ノンスリーブ上着ウェア
【図１】
0003149749.tif 000003
【図２】
0003149749.tif 000004
【図３】
0003149749.tif 000005
【図４】
0003149749.tif 000006
【図５】
0003149749.tif 000007
【図６】
0003149749.tif 000008